(57)【要約】【課題】子供や高齢者でも操作でき、開放作業時の安全性が高い緊急時対応扉用離脱装置及び緊急時対応扉の提供。【解決手段】扉本体の片側上下に備えた上側枢支ピン及び下側枢支ピンで玄関口の上下枠に軸止し、上側枢支ピンを上枠に対して係脱自在に上下動させる操作体を備え、案内筒体内で上側枢支ピンを上方へ付勢する第一ばねと、操作体を上方へ付勢する第二ばねを備え、上側枢支ピンは下端に第一連結軸を備え、操作体は、連結板と操作レバーを備え、連結板は回動軸と第二連結軸を備え端部に切欠き状の係合凹部を形成し、上側枢支ピンの第一連結軸と操作体の第二連結軸間を連結杆で連結し、上側枢支ピンが扉本体から上方へ突出する状態で、操作レバーを側方に配置し、回動軸を基準として操作レバーを下方へ移動し、係合凹部が連結板支持体と係合して操作レバーを固定し、上側枢支ピンを扉本体内に格納する。【選択図】  図５
2007247252.tif 000002
【特許請求の範囲】
【請求項１】
扉本体の片側上下に備えた上側枢支ピン及び下側枢支ピンで玄関口の上下枠に軸止し、上側枢支ピンを上枠に対して係脱自在に上下動させる操作体を備える玄関扉において、
案内筒体内で上側枢支ピンを上方へ付勢する第一ばねと、操作体を上方へ付勢する第二ばねを備え、
上側枢支ピンは下端に第一連結軸を備え、
操作体は、連結板と操作レバーを備え、前記連結板は回動軸と第二連結軸を備えるとともに端部に切欠き状の係合凹部を形成し、
上側枢支ピンの第一連結軸と操作体の第二連結軸間を連結杆で連結し、
上側枢支ピンが扉本体から上方へ突出する状態で、操作レバーが側方に配置され、
回動軸を基準として操作レバーを下方へ移動させることで、前記係合凹部が連結板支持体と係合して操作レバーを固定し、上側枢支ピンを扉本体内に格納することを特徴とする玄関扉。
【請求項２】
上側枢支ピンを玄関口の上枠に対して係脱自在に上下動させる操作体を備える緊急時対応扉用離脱装置において、
上側枢支ピンを上方へ付勢し且つ案内筒体内に格納される第一ばねと、操作体を上方へ付勢する第二ばねを備え、
上側枢支ピンは下端に第一連結軸を備え、
操作体は、連結板と操作レバーを備え、連結板は回動軸と第二連結軸を備えるとともに端部に切欠き状の係合凹部を形成し、
上側枢支ピンの第一連結軸と操作体の第二連結軸間を連結杆で連結し、
上側枢支ピンが扉本体から上方へ突出する状態で、操作レバーが側方に配置され、
回動軸を基準として操作レバーを下方へ移動させることで、前記係合凹部が連結板支持体と係合し、操作レバーを固定し、上側枢支ピンを扉本体内に格納することを特徴とする緊急時対応扉用離脱装置。
【発明の詳細な説明】
【技術分野】
【０００１】
本発明は、地震による扉枠の変形によっても扉の開放を確保できる緊急時対応扉用離脱装置と、該緊急時対応扉用離脱装置を備えた緊急時対応扉の改良に関する。
【背景技術】
【０００２】
大型地震の発生により、マンションの玄関等のドア枠や蝶番が変形し、扉の開閉が不可能になることで、被災者が屋外へ脱出不能となったり、或いは屋外からの救援者が屋内へ入ることができなくなる事態が生ずることが明らかとなっている。そしてこのような事態は今後も大型地震によって引き起こされる可能性が高いことが憂慮されている。
【０００３】
上記事態に備えるべく、地震発生時に玄関扉の開閉が不能となる事態を防止するものとしては、例えば、玄関扉を、上下の枢支ピンを介して玄関口を構成する上枠と下枠に軸支するとともに、上部枢支ピンの作動機構を、第１の歯車と、第２の歯車と、第２の歯車と枢支ピンとを連結する連結杆と、第１の歯車２の軸と、軸の先端に回動自在に設けたつまみとで構成し、同作動機構の作業部を、扉の室内側の側面に形成した凹部内に納め、作業部の縁辺に蓋を回動自在に取り付けることにより常時は作業部は蓋により閉じられていることを特徴とした玄関扉（例えば、特許文献１参照。）が公知である。
【０００４】
また、特に地震発生時等の緊急時に対応する玄関扉ではなく、扉の吊り込みを容易とする目的として発明された簡素な扉の取付構造として、扉（スイングドア）の一側の上端及び下端からピポット軸を突出させると共にピポット軸をドア枠の上枠及び下枠の端部近傍に回転自在に支持してスイングドアを開閉自在にした扉の取り付け構造において、上または下のピポット軸のうち少なくとも一方のピポット軸を上下動自在にすると共にこの上下動自在なピポット軸を突出するようにばねにて付勢し、ピポット軸の上下動を操作する操作つまみをピポット軸より扉の戸先側の位置で上下動自在にすると共にピポット軸と操作つまみを連結材で連繋させ、扉の横框の端部と縦框の端部とをコーナーブロックにて連結し、上下動自在なピポット軸、ピポット軸を付勢するばね、連結材をコーナーブロックに組み込み、縦框の外面に設けた操作つまみと連結材とを連結してなる簡素な構造の扉の取付構造（例えば、特許文献２参照。）が公知である。
【０００５】
【特許文献１】特開２００４−２６３４７５号公報
【特許文献２】特開平１０−２３８２０１号公報
【発明の開示】
【発明が解決しようとする課題】
【０００６】
上記特許文献１に係る発明は、地震による扉枠の変形によっても扉の開放を確保しようとするものであり、つまみの回転操作により、扉内に格納された歯車群を作動させ、ピボット軸を動かして扉の開放を可能とするものである。そして、当該特許文献１には、具体的な構成として、作業部１０内には第１の歯車２の軸と一体のねじ７の頭部が室内方向に突出しており、つまみ９が枢軸８により回動自在に取り付けられている。つまみ９は（略）通常は作業部１０内に収まっており、非常時につまみ９を手前に立ててそのまま（略）矢印方向に回せばねじ７を介して第１の歯車２は図中時計周りに回転され、それにつれて第２歯車３は反時計周りに回転するから連結杆４が下方に押し下げられる構成が開示されている。また、当該構成において、歯車２、３の作動が重要であること、歯車の保守がされないことについては問題が懸念される旨が記載されている。
【０００７】
しかしながら、当該構成に基づく操作性については、つまみを手前に立てる操作とつまみを所定の回転方向にのみ回転させる操作を連続して行うことは、緊急時においては煩雑である。例えば、当該特許文献１における先行技術との対比説明（段落番号０００５）の記載として「地震が夜間に起れば停電が予想され、しかも住人はパニック状態にあるのが普通である。そういう精神状態で、しかも暗黒の中で手探りで（中略）非常に困難である。」とあるように、暗闇でのつまみの回転操作は右に回すのが正しいのか左に回すのが正しいのかが判別しづらい。更に、つまみの回転機構の保全が不十分であることが重なると、扉の開放操作は非常に困難となる。つまみを回転させる操作は、指先や手首にある程度の力をかけなければならず、保守の程度によっては、特に高齢者や子供には操作不可能となることも考えられる。
【０００８】
一方、上記特許文献２に示すように、扉の一側の上端及び下端からピポット軸を突出させると共にピポット軸をドア枠の上枠及び下枠の端部近傍に回転自在に支持して扉を開閉自在にした扉の取付け構造は、地震発生時において、横框と扉枠における側枠とが圧接状態になることはあっても、ピボット軸を格納することは可能であるから、上記特許文献１と同様に玄関扉に適用し、扉枠から玄関扉を取り外すことは可能であるようにも考えられる。
【０００９】
しかしながら、上記特許文献２に係る発明は、簡素で軽量な浴室等の扉の吊り込みに使用することのみを前提として構成されており、ピボット軸の格納状態を保つには、作業者はばねの反発弾性力に抗して高所に取付けられた操作摘みを下方へ保ち続けなければならない構成である。このため、上記構成を玄関扉等の重量のある扉に適用すると、扉の吊り込み作業に慣れない高齢者や子供が自力で、片手でレバーを下方へ押さえ続けながら扉を取り外すことは、事実上不可能に近く、可能であったとしても下方へ保つ操作は作業者側へ扉を傾けることとなるため、扉を保持する際のバランスが悪くなり、作業者側に扉が倒れる危険性が非常に高く、扉とともに転倒し、大事に至る虞がある。
【００１０】
本発明は上記事情に鑑みてなされたものであり、真に操作性が高く、子供や高齢者であっても操作することができ、開放作業時の安全性が高い緊急時対応扉用離脱装置及びそれを使用した緊急時対応扉の提供を、発明が解決しようとする課題とする。
【課題を解決するための手段】
【００１１】
扉本体の片側上下に備えた上側枢支ピン及び下側枢支ピンで玄関口の上下枠に軸止し、上側枢支ピンを上枠に対して係脱自在に上下動させる操作体を備える玄関扉において、案内筒体内で上側枢支ピンを上方へ付勢する第一ばねと、操作体を上方へ付勢する第二ばねを備え、上側枢支ピンは下端に第一連結軸を備え、操作体は、連結板と操作レバーを備え、前記連結板は回動軸と第二連結軸を備えるとともに端部に切欠き状の係合凹部を形成し、上側枢支ピンの第一連結軸と操作体の第二連結軸間を連結杆で連結し、上側枢支ピンが扉本体から上方へ突出する状態で、操作レバーが側方に配置され、回動軸を基準として操作レバーを下方へ移動させることで、前記係合凹部が連結板支持体と係合して操作レバーを固定し、上側枢支ピンを扉本体内に格納することを特徴とする玄関扉を、課題を解決するための手段とする。
【発明の効果】
【００１２】
本発明によれば、上記構成によって第一コイルばねと第二コイルばねとの間に操作体と連結板支持体を設け、操作体が係合凹部を有する連結板と操作レバーとを備え、梃子の原理を利用することで、操作レバーを軽く下ろすだけで簡単に係合凹部と連結板支持体とを係合させ、上側枢支ピンを扉本体内に格納した状態を確保することができる。
【００１３】
そして、扉本体を扉枠から完全に離脱させるにはこの状態で扉を押し出せばよく、当該押し出し操作も、軽く押す程度で扉の自重により簡単に倒すことができるため、高齢者や子供であっても、安全に玄関扉の取り外しを行うことができる。
【発明を実施するための最良の形態】
【００１４】
本発明は、扉本体の片側上下に備えた上側枢支ピン及び下側枢支ピンで玄関口の上下枠に軸止し、上側枢支ピンを上枠に対して係脱自在に上下動させる操作体を備える玄関扉において、上側枢支ピンを上方へ付勢し且つ案内筒体内に格納される第一コイルばねと、操作体を上方へ付勢する第二コイルばねを備え、操作体は、連結板と操作レバーを備え、連結板は回動中心軸と第一連結軸を備えるとともに端部に切欠き状の係合凹部を形成し、上側枢支ピンは下端に第一連結軸を備え、上側枢支ピンの第一連結軸と操作体の第二連結軸間を連結杆で連結し、上側枢支ピンが扉本体から上方へ突出する状態で、操作レバーが側方に配置され、回動軸を支点とし、第二連結軸を作用点とし、操作レバーの把持部を力点とする梃子の原理を利用して、回動中心軸を基準とし操作レバーを下方へ移動させることで、前記係合凹部が連結板支持体と係合し、操作レバーを固定し、上側枢支ピンを扉本体内に格納する緊急時対応扉用離脱装置を玄関扉に備えることによって、操作レバーを軽く下ろすことができ、操作レバーをロックした状態で、扉を扉枠から離脱させることができる安全性、操作性に優れた玄関扉を実現した。
【実施例】
【００１５】
図１は本発明の実施例に係る緊急時対応扉用離脱装置を備えた玄関扉を示す正面図、図２は同実施例に係る緊急時対応扉用離脱装置を示す拡大平面図、図３は同実施例に係る緊急時対応扉用離脱装置のＡ−Ａ断面図、図４は同実施例に係る緊急時対応扉用離脱装置の右側面一部断面図、図５は同実施例に係る緊急時対応扉用離脱装置の上側枢支ピン格納状態を示す断面図、図６は同実施例に係る緊急時対応扉用離脱装置の操作体、連結杆、上側枢支ピンの関係を示す説明図、図７は同実施例に係る緊急時対応扉用離脱装置の支持金具３４を示す（ａ）平面図、（ｂ）Ｃ−Ｃ断面図、（ｃ）Ｅ−Ｅ断面図、（ｄ）底面図、図８は同実施例に係る緊急時対応扉用離脱装置の回動軸固定部材３３を示す（ａ）平面図、（ｂ）正面図、（ｃ）右側面図、（ｄ）Ｆ−Ｆ断面図、（ｅ）底面図、図９は同実施例に係る緊急時対応扉用離脱装置の支持台座２６を示す（ａ）平面図、（ｂ）正面図、（ｃ）右側面図、図１０は同実施例に係る緊急時対応扉用離脱装置の連結板支持軸体３１０を示す（ａ）平面図、（ｂ）正面図、（ｃ）右側面図、（ｄ）底面図である。
【００１６】
本発明の実施例に係る玄関扉Ｄは、図１に示すように、扉本体６の片側上下に上側枢支ピン１及び下側枢支ピンを有する玄関扉Ｄであり、図２に示す、金属製の扉本体６内の上部位置に緊急時対応扉用離脱装置Ｚを内蔵したものである。緊急時対応扉用離脱装置Ｚは、扉本体６の片側上方に設けた上側枢支ピン１を構成の一部として備え、該上側枢支ピン１を玄関口の上枠７０に対して係脱自在に上下動させる操作体２を備えている。
【００１７】
一方、玄関扉Ｄの扉本体６の表面のうち、緊急時対応扉用離脱装置Ｚに対応する位置には、開閉カバー６１を設けている。開閉カバー６１には摘みと蝶番が設けられている。開閉カバー６１を開放することで、扉本体６内の収納空間６０と後記詳説する操作レバー２１が露呈し、操作が可能となる。
【００１８】
実施例に係る玄関扉Ｄに設置される上記緊急時対応扉用離脱装置Ｚは、図２乃至図５に示すように、主として、扉本体６に対して高精度に取着するための長尺板状を有する取付板５と、該取付板５の一端の下方に取付板用ボス１４を介して連結される案内筒体４と、上側枢支ピン１と、該上側枢支ピン１を上方へ付勢し且つ案内筒体４の上端部内に格納される第一コイルばね１３（第一ばね）と、上側枢支ピン１を上下動させるための上記操作体２と、操作体２を上方へ付勢し且つ案内筒体４内の下端側に格納される第二コイルばね３０（第二ばね）を備えている。以下、各構成について詳細に説明する。
【００１９】
取付板５は、金属製板材からなり、複数個所に扉本体６に皿螺子で固定するための螺子取付穴５２を備え、前記取付板５の一端には取付板用ボス１４を取着するためのボス取付穴５４を備えている。前記取付板用ボス１４は、中央に上側枢支ピン１が上下動可能となるボス中央穴１４０を備えている。取付板用ボス１４の下端は、案内筒体４の上端内側に嵌合する。
【００２０】
案内筒体４内で、前記取付板用ボス１４の下面に座体５０が当接する。座体５０は円板形状で中央には前記ボス中央穴１４０よりも小径の座体中央穴５１を備えた構成である。また、案内筒体４の長手方向略中央位置には支持台座２６を固定設置してある。
【００２１】
支持台座２６は、図９に示すように、円柱状体の中央を含んで縦方向に連続するスリット状の切欠き２６０を形成した形状である。当該形状によって前記連結杆２４との干渉を防止する。支持台座２６は図示されない固定螺子穴を備えており、該固定螺子穴に対応して案内筒体４の壁面に形成した貫通穴を介して、外側から螺子止めすることで、前記支持台座２６を案内筒体４に固定する。
【００２２】
以上の構成によって、案内筒体４の上端側に配置された前記座体５０と、中央位置の支持台座２６で第一コイルばね１３が挟持されている。そして、上側支持ピン１とその下端に連結された連結杆２４が第一コイルばね１３内を貫通して配置される。
【００２３】
上側枢支ピン１は、図３に示すように、当該上側枢支ピン１の下端側が上端側よりも小径となる段部１０を形成している。前記段部１０より下端側は二股形状の挟持部１２を形成し、該挟持部１２を連通する第一軸穴１５を設けている。
【００２４】
また連結杆２４は上端側に連結杆側第一軸穴２４０を設け、下端側に連結杆側第二軸穴２４１を形成した棒状体である。
【００２５】
前記上側枢支ピン１は座体５０の中央穴５１を貫通し、上側枢支ピン１の段部１０を中央穴５１の上縁部５３に当接する。この状態で、上側枢支ピン１の下端の挟持部１２間に、連結杆２４の上端側を嵌め込み、第一軸穴１５と連結杆側第一軸穴２４０とを一致させて第一連結軸１１を取着する。尚、本実施例においては、連結杆２４の移動に伴う案内筒体４との干渉を回避するために、連結杆２４の一部に凹部２４２を形成している。
【００２６】
図６に示すように、操作体２は、リベット取付穴２１３を有する合同な二枚の操作板２ａ間に、リベット貫通穴２５０を備える間座２５を挟みこんで、リベット２１１で連結してなる。各操作板２ａは、連結板２０と操作レバー２１とを一体として形成している。
【００２７】
前記連結板２０は、連結板側第二軸穴２０１と連結板側回動軸穴２０２を有し、案内筒体４の開口部側に位置する当該連結板２０の外縁の一端が、操作レバー２１との連結部（以下、操作レバー連結部２１２）となる。そして、連結板２０における操作レバー連結部２１２の下方には係合凹部２００を形成している。
【００２８】
操作レバー２１は、連結板２０の外縁の一端に一体として連結される前記操作レバー連結部２１２と、該操作レバー連結部２１２から傾き角度を変えて、直線状に形成した把持部２１０とからなる。
【００２９】
そして、連結杆２４の下端の連結杆側第二軸穴２４１と連結板２０における連結板側第二軸穴２０１とを一致させて第二連結軸２２を取着している。
【００３０】
次に、案内筒体４の下端側には、該案内筒体４の内側に固着される回動軸固定部材３３と、該回動軸固定部材３３の内側に設けられる支持金具３４と、支持金具３４に保持される第二コイルばね３０と、第二コイルばね３０上に載置される連結板支持体３１を有する。
【００３１】
案内筒体４の下端側には筒体側貫通穴４１を備え、回動軸固定部材３３は固定部材側貫通穴３３０を備え、支持金具３４は支持金具側貫通穴３４１を備える。当該筒体側貫通穴４１、固定部材側貫通穴３３０、支持金具側貫通穴３４１は夫々同一軸線上に配置される。そして、図に用いられるこれら筒体側貫通穴４１、固定部材側貫通穴３３０、支持金具側貫通穴３４１を連通固定するリベット３５を設けている。
【００３２】
支持金具３４は、図７に示すように、中央に第二ばね支持凹部３４０を形成してある。前記第二コイルばね３０は、その両端を前記第二ばね支持凹部３４０内に嵌込んで設けてあり、第二コイルばね３０の上から連結板支持体３１を嵌込んで設けている。該連結板支持体３１は下端に小径部を形成しており、第二コイルばね３０から連結板支持体３１が離脱することを防止している。
また、支持金具３４の上端には軸受状のロール規制部３４２を形成している。
【００３３】
前記連結板支持体３１は、連結板支持軸体３１０と、該連結板支持軸体３１０上の凹部３１１に嵌合し且つ上方に突出する連結板支持ロール３２からなる。連結板支持ロール３２は、前記軸受上のロール規制部３４２に対して連結板支持ロール３２を嵌め込む構成としている。当該構成によって、連結板支持ロール３２が常に第二コイルばね３０のばね弾性力を確保した状態で配置される。
【００３４】
以上の構成に示した、実施例に係る玄関扉６に設置される緊急時対応扉用離脱装置Ｚの動作について説明する。通常状態においては、図３に示すように、第一コイルばね１のばね弾性力によって、上側枢支ピン１は取付板１５から上方へ突出した状態で、操作レバー２１が側方に配置される。
【００３５】
ここで、操作レバー２１は案内筒体４の開口部４０から略水平方向に突出している。操作レバー２１の押し下げ操作によって、座体５０の中央穴５１の上縁部５３が上側枢支ピンの段差１０と当接した状態で上側枢支ピン１とともに下降し、第一コイルばね１３のバネ弾性に抗して、回動軸２３を中心に操作レバー２１は回転し、連結杆２４を介して上側枢支ピン１を下方へ従動させる。
【００３６】
上側枢支ピン１は、取付板用ボス１４によってガイドされ、第一連結軸１１で横方向の負荷を逃すことができるから、速やかな垂直動が確保されている。
【００３７】
連結板２０の係合凹部２００近傍はカム形状となっており、操作レバー２１の下降に伴って、連結板支持ロール３２に当接し、連結板支持体３１及び連結板支持ロール３２は、第二コイルばね３０のばね弾性力に抗して下方へ押し下げられる。そして、更に操作レバー２１が押し下げられ、操作レバー２１が略垂直になった時点で、連結板２０の係合凹部２００に連結板支持体の連結板支持ロール３２が嵌り込み、図５に示すように、操作レバー２１が固定される。連結板支持ロール３２は第二コイルばね３０のバネ弾性力によって上方へ付勢され、係合凹部２００との不用意な離脱を防止する。
【００３８】
本実施例の構成においては、操作レバー２１の操作は梃子の原理を用いることによって、非常に軽い操作を行うことができる。即ち、回動軸２３を支点とし、第二連結軸２２を作用点とし、操作レバー２１の把持部２１０を力点としている。そしてこれらのうち支点と作用点の距離を短くし、支点から力点までの距離を大きくすることで、機械的利益を増加させ、非力な子供や高齢者であっても余裕を持って操作レバー２１の押し下げ操作を行うことができるものとしている。
【００３９】
また、離脱操作が操作レバー２１の押し下げであるため、特に非力な子供であっても略水平に配置された操作レバー２１を掴み、体重をかけることで、更に容易に操作レバー２１の操作を行うことができる。
【００４０】
また、図１に示すように、操作レバー２１は、扉本体６に形成された収納空間６０内にあり、玄関扉６を離脱させる際には、操作レバー２１を押し下げる方向のみにしか操作６できないため、操作を間違うことがなく、緊急時にパニック状態に陥った場合でも、確実に玄関扉６を離脱させることができる。
【００４１】
尚、本発明は上記したように、真に操作性が高く、子供や高齢者であっても操作することができ、開放作業時の安全性が高い緊急時対応扉用離脱装置及びそれを使用した緊急時対応扉であるが、本発明の構成によって、扉の吊り込み時に操作レバー２１をロックしない状態とすると、上側枢支ピンは第一ばねの付勢によって常に上昇するため、上枠側の軸受け穴の位置に上側枢支ピンがくると、自然に軸受け穴に嵌るため、容易に吊り込み操作を行う利点を有する。また、吊り込み時に操作レバー２１をロックした状態で扉枠に対してセットすることができるため、通常のピボットに替えて設置することができ、汎用性にも優れるものである。
【図面の簡単な説明】
【００４２】
【図１】本発明の実施例に係る緊急時対応扉用離脱装置を備えた玄関扉を示す正面図である。
【図２】本発明の実施例に係る緊急時対応扉用離脱装置を示す平面図である。
【図３】本発明の実施例に係る緊急時対応扉用離脱装置のＡ−Ａ断面図である。
【図４】本発明の実施例に係る緊急時対応扉用離脱装置の右側面一部Ｂ−Ｂ断面図である。
【図５】本発明の実施例に係る緊急時対応扉用離脱装置の上側枢支ピン格納状態を示す断面図である。
【図６】本発明の実施例に係る緊急時対応扉用離脱装置の操作体、連結杆、上側枢支ピンの関係を示す説明図である。
【図７】本発明の実施例に係る緊急時対応扉用離脱装置の支持金具の（ａ）平面図、（ｂ）Ｃ−Ｃ断面図、（ｃ）Ｅ−Ｅ断面図、（ｄ）底面図である。
【図８】本発明の実施例に係る緊急時対応扉用離脱装置の回動軸固定部材を示す（ａ）平面図、（ｂ）正面図、（ｃ）右側面図（ｄ）Ｆ−Ｆ断面図、（ｅ）底面図である。
【図９】本発明の実施例に係る緊急時対応扉用離脱装置の支持台座を示す（ａ）平面図、（ｂ）正面図、（ｃ）右側面図である。
【図１０】本発明の実施例に係る緊急時対応扉用離脱装置の連結板支持軸体を示す（ａ）平面図、（ｂ）正面図、（ｃ）右側面図、（ｄ）底面図である。
【符号の説明】
【００４３】
１        上側枢支ピン
１０      段部
１１      第一連結軸
１２      挟持部
１３      第一コイルばね（第一ばね）
１４      取付板用ボス
１４０    ボス中央穴
１５      第一軸穴
２        操作体
２ａ      操作板
２０      連結板
２００    係合凹部
２０１    連結板側第二軸穴
２０２    連結板側回動軸穴
２１      操作レバー
２１０    把持部
２１１    リベット
２１２    操作レバー連結部
２１３    リベット取付穴
２２      第二連結軸
２３      回動軸
２４      連結杆
２４０    連結杆側第一軸穴
２４１    連結杆側第二軸穴
２４２    凹部
２５      間座
２５０    リベット貫通穴
２６      支持台座
２６０    切欠き
３０      第二コイルばね（第二ばね）
３１      連結板支持体
３１０    連結板支持軸体
３１１    凹部
３２      連結板支持ロール
３３      回動軸固定部材
３３０    固定部材側貫通穴
３３１    回動軸用軸受部
３４      支持金具
３４０    第二ばね支持凹部
３４１    支持金具側貫通穴
３４２    ロール規制部
３５      リベット
４        案内筒体
４０      開口部
４１      筒体側貫通穴
５        取付板
５０      座体
５１      座体中央穴
５２      螺子取付穴
５３      上縁部
５４      ボス取付穴
６        扉本体
６０      収納空間
６１      開閉カバー
７０      上枠
Ｄ        玄関扉
Ｚ        緊急時対応扉用離脱装置
【図１】
2007247252.tif 000003
【図２】
2007247252.tif 000004
【図３】
2007247252.tif 000005
【図４】
2007247252.tif 000006
【図５】
2007247252.tif 000007
【図６】
2007247252.tif 000008
【図７】
2007247252.tif 000009
【図８】
2007247252.tif 000010
【図９】
2007247252.tif 000011
【図１０】
2007247252.tif 000012